(57)【要約】【課題】地図の視認性を維持しつつ、必要な情報を的確にユーザに提示する。【解決手段】地図４に車両の現在位置５を示した地図画面を表示パネル２に表示すると共に、前記表示パネル２に表示された地図画面をタッチ操作可能に構成したカーナビゲーション装置１において、観光エリアの位置、前記観光エリア内に存在する観光施設の現在の季節又は時期に合った旬情報を記憶する記憶部１４と、車両が観光エリアに進入したか否かを検出し、車両が観光エリアに進入したことを検出した場合、車両が観光エリア内に位置する間、観光施設の旬情報の表示を指示するための旬情報ボタン７０を、表示パネル２の地図４に表示する制御部１０を備える構成とした。【選択図】図６
2009025223.tif 000002
【特許請求の範囲】
【請求項１】
地図上に車両の現在位置を示した地図画面を表示装置に表示すると共に、前記表示装置に表示された地図画面をタッチ操作可能に構成したナビゲーション装置において、
所定の観光エリアの位置、前記所定の観光エリア内に存在する観光施設の現在の季節又は時期に合った適時的情報を記憶する記憶手段と、
前記車両が前記所定の観光エリアに進入したか否かを検出し、前記車両が前記所定の観光エリアに進入したことを検出した場合、前記車両が前記所定の観光エリア内に位置する間、前記観光施設の適時的情報の表示を指示するための指示ボタンを、前記表示装置の地図画面に表示する制御手段と
を備えることを特徴とするナビゲーション装置。
【請求項２】
請求項１に記載のナビゲーション装置において、
前記記憶手段は、前記観光施設ごとに、少なくとも観光施設の内容を示す施設情報を更に記憶し、
前記制御手段は、
前記指示ボタンがタッチ操作された場合、前記観光施設ごとにタッチ操作可能に前記施設情報及び前記適時的情報を前記表示装置に表示し、
いずれかの前記観光施設がタッチ操作された場合に、このタッチ操作された観光施設を目的地又は経由地に設定し、この目的地又は経由地までの経路案内を開始する
ことを特徴とするナビゲーション装置。
【請求項３】
請求項２に記載のナビゲーション装置において、
前記記憶手段は、前記観光施設を複数の施設種別のいずれかに分類して記憶し、
前記制御手段は、
前記指示ボタンがタッチ操作された場合、
１つの前記施設種別に属する観光施設の前記適時的情報及び前記施設情報を、前記観光施設ごとに一覧表示すると共に、前記一覧表示する施設種別を選択する選択ボタンを前記施設種別ごとに表示し、
前記選択ボタンのそれぞれを、前記施設種別に属する観光施設の数を視認可能に表示したことを特徴とするナビゲーション装置。
【請求項４】
請求項１乃至３のいずれかに記載のナビゲーション装置において、
前記制御手段は、
前記車両が前記所定の観光エリアの外に位置する場合、前記表示装置の地図画面に、前記車両の周辺に存在する施設を表示し、
前記車両が前記所定の観光エリア内に位置する場合には、前記表示装置の地図画面に、前記施設に代えて前記観光施設を表示する
ことを特徴とするナビゲーション装置。
【請求項５】
請求項４に記載のナビゲーション装置において、
前記制御手段は、
前記車両が前記所定の観光エリア内に位置する場合、前記観光エリア内の観光施設のうち、現在の日時に基づいて、少なくとも現在利用可能な観光施設を抽出し前記表示装置の地図画面に表示する
ことを特徴とするナビゲーション装置。
【請求項６】
請求項１乃至５のいずれかに記載のナビゲーション装置において、
前記観光施設の適時的情報を蓄積する外部サーバとネットワークを介して通信する通信手段を有し、
前記制御手段は、
前記指示ボタンがタッチ操作された場合に、前記車両が位置する観光エリア内の観光施設の適時的情報を前記外部サーバに要求し、前記外部サーバから取得した適時的情報を前記表示装置に表示することを特徴とするナビゲーション装置。
【発明の詳細な説明】
【技術分野】
【０００１】
本発明は、地図上に移動体の現在位置を示した地図画面を表示装置に表示するナビゲーション装置に関する。
【背景技術】
【０００２】
従来、現在位置を地図上に表示して目的地までの経路案内を行うナビゲーション装置において、現在位置の周辺に存在するガソリンスタンド、コンビニエンスストア、駐車場、レストランといった予め登録されている施設のランドマークを地図上に表示するものが知られている。さらに、現在の季節に見合った情報を提供するようにしたナビゲーション装置も知られている（例えば、特許文献１参照）。
【特許文献１】特開２００３−１８７１４６号公報
【発明の開示】
【発明が解決しようとする課題】
【０００３】
しかしながら、ナビゲーション装置が備える表示装置の表示領域には限りがあり、現在位置の周辺のランドマークに加え、さらに、現在の季節に見合った情報等の各種の情報を一度に表示してしまうと、地図の視認性が低下する、といった問題がある。
本発明は、上述した事情に鑑みてなされたものであり、地図の視認性を維持しつつ、必要な情報を的確にユーザに提示することのできるナビゲーション装置を提供することを目的とする。
【課題を解決するための手段】
【０００４】
上記目的を達成するために、本発明は、地図上に車両の現在位置を示した地図画面を表示装置に表示すると共に、前記表示装置に表示された地図画面をタッチ操作可能に構成したナビゲーション装置において、所定の観光エリアの位置、前記所定の観光エリア内に存在する観光施設の現在の季節又は時期に合った適時的情報を記憶する記憶手段と、前記車両が前記所定の観光エリアに進入したか否かを検出し、前記車両が前記所定の観光エリアに進入したことを検出した場合、前記車両が前記所定の観光エリア内に位置する間、前記観光施設の適時的情報の表示を指示するための指示ボタンを、前記表示装置の地図画面に表示する制御手段とを備えることを特徴とする。
【０００５】
本発明によれば、車両が観光エリアに進入したときには、観光施設の適時的情報の表示を指示するための指示ボタンが地図画面に自動で表示される。この指示ボタンの表示により、車両が観光エリア内を移動している事をユーザに対して認識させることができる。
これに加え、指示ボタンをタッチ操作したときにだけ、観光施設の適時的情報を表示するようにしたため、地図画面の視認性を低下することが無く、ユーザが適時的情報を所望したときにだけ適切に提示することが可能となる。
【０００６】
また本発明は、上記発明において、前記記憶手段は、前記観光施設ごとに、少なくとも観光施設の内容を示す施設情報を更に記憶し、前記制御手段は、前記指示ボタンがタッチ操作された場合、前記観光施設ごとにタッチ操作可能に前記施設情報及び前記適時的情報を前記表示装置に表示し、いずれかの前記観光施設がタッチ操作された場合に、このタッチ操作された観光施設を目的地又は経由地に設定し、この目的地又は経由地までの経路案内を開始することを特徴とする。
【０００７】
本発明によれば、観光施設ごとの施設情報及び適時的情報を表示するため、これらの情報を参酌して、周囲に存在する観光施設の中から興味のあるものを的確に容易に見つけだすことができる。
さらに、いずれかの観光施設がタッチ操作された場合に、このタッチ操作された観光施設を目的地又は経由地に設定し、この目的地又は経由地までの経路案内を開始するため、ユーザは、立ち寄りたい観光施設が見つかった場合には、その観光施設をタッチ操作するだけで、その観光施設まで速やかに案内される。
【０００８】
また本発明は、上記発明において、前記記憶手段は、前記観光施設を複数の施設種別のいずれかに分類して記憶し、前記制御手段は、前記指示ボタンがタッチ操作された場合、１つの前記施設種別に属する観光施設の前記適時的情報及び前記施設情報を、前記観光施設ごとに一覧表示すると共に、前記一覧表示する施設種別を選択する選択ボタンを前記施設種別ごとに表示し、前記選択ボタンのそれぞれを、前記施設種別に属する観光施設の数を視認可能に表示したことを特徴とする。
【０００９】
本発明によれば、観光施設を施設種別ごとに分類して表示し、表示する施設種別を選択可能にしたため、ユーザが所望する施設種別の観光施設だけを的確に提示することができる。
さらに、施設種別を選択する選択ボタンを、各施設種別に属する観光施設の数を視認可能に表示するため、周囲にどういった種別の観光施設が多く存在するかを的確にユーザに提示することができる。
【００１０】
また本発明は、上記発明において、前記制御手段は、前記車両が前記所定の観光エリアの外に位置する場合、前記表示装置の地図画面に、前記車両の周辺に存在する施設を表示し、前記車両が前記所定の観光エリア内に位置する場合には、前記表示装置の地図画面に、前記施設に代えて前記観光施設を表示することを特徴とする。
【００１１】
本発明によれば、車両が所定の観光エリアに進入した場合、地図画面には、観光施設のみが表示されるため、周囲にどのような観光施設があるかを、容易に認識することができる。
また、このような観光施設の表示は、車両が所定の観光エリア内に位置する間だけ行われ、車両が所定の観光エリアの外に位置する場合には、元の地図画面に自動で復帰するため、車両が観光エリアを移動しているときにだけ的確に観光施設の情報を提示することができる。
【００１２】
また本発明は、上記発明において、前記制御手段は、前記車両が前記所定の観光エリア内に位置する場合、前記観光エリア内の観光施設のうち、現在の日時に基づいて、少なくとも現在利用可能な観光施設を抽出し前記表示装置の地図画面に表示することを特徴とする。
【００１３】
本発明によれば、地図画面に表示される観光施設が少なくとも現在利用可能なものに限定されるため、その時期に見合った観光施設だけを的確にユーザに提示することができる。
【００１４】
また本発明は、上記発明において、前記観光施設の適時的情報を蓄積する外部サーバとネットワークを介して通信する通信手段を有し、前記制御手段は、前記指示ボタンがタッチ操作された場合に、前記車両が位置する観光エリア内の観光施設の適時的情報を前記外部サーバに要求し、前記外部サーバから取得した適時的情報を前記表示装置に表示することを特徴とする。
【００１５】
本発明によれば、適時的情報を外部サーバから取得する構成としたため、適時的情報として可変的な情報をユーザに提示することができる。
さらに、観光エリアに車両が進入したタイミングではなく、ユーザによって適時的情報の表示が指示されたタイミングで、当該適時的情報を外部サーバから取得する構成としたため、外部サーバとの間での不要な通信が抑制される。
【発明の効果】
【００１６】
本発明によれば、車両が観光エリアに進入したときには、観光施設の適時的情報の表示を指示するための指示ボタンが地図画面に自動で表示される。この指示ボタンの表示により、車両が観光エリア内を移動している事をユーザに対して認識させることができる。
これに加え、指示ボタンをタッチ操作したときにだけ、観光施設の適時的情報を表示するようにしたため、地図画面の視認性を低下することが無く、ユーザが適時的情報を所望したときにだけ適切に提示することが可能となる。
【発明を実施するための最良の形態】
【００１７】
以下、図面を参照して本発明の実施形態を詳述する。
図１は、本実施形態に係るカーナビゲーション装置１の外観を示す正面図である。
カーナビゲーション装置１は、車両に取り付けられる装置本体１Ａと、この装置本体１Ａの正面に嵌め込まれた表示パネル２と、この表示パネル２の周囲に配設された複数の操作ボタン３とを有している。
表示パネル２には、車両の現在位置周辺の地図４と、車両の現在位置５とが重ねて表示され、さらに、地図４には、各種の施設を図形や記号、絵柄で示すランドマーク６が重ねて表示されている。この種のランドマーク６には、例えば都道府県庁、役所、警察署、消防署、学校、公園、美術館、博物館等の公共施設、ホテルなどの宿泊施設、駅、空港、港、インターチェンジ、信号機或いはトンネル等の交通設備、ガソリンスタンド、コンビニエンスストア、ファーストフード店或いはゴルフ場等の民間施設といったものがある。なお、これらのランドマーク６を名称によって地図４の上に示しても良く、また、ランドマーク６と一般的な地図記号とを分けても良いことは勿論である。
【００１８】
さらに、カーナビゲーション装置１に対して、目的地が入力指定されている場合には、上記地図４には、現在位置から目的地に至る経路が強調表示され経路案内が行われる。この経路案内中には、地図４による経路の表示と共に、音声による進行方向の案内も行われる。
【００１９】
図２は、カーナビゲーション装置１の機能的構成を示すブロック図である。
カーナビゲーション装置１は、各部を中枢的に制御する制御手段としての制御部１０と、車両の現在位置を検出する位置検出手段としてのＧＰＳユニット１１と、上記表示パネル２を備えた表示手段としての表示部１２と、上記複数の操作ボタン３を備えた操作手段としての操作部１３と、各種プログラムやデータを記憶する記憶手段としての記憶部１４と、ネットワーク１５を介して外部サーバ１６と通信する無線通信手段としての無線通信部１７とを有している。
【００２０】
制御部１０は、プログラムに従って演算処理するＣＰＵ２０や各種プログラム及びデータを格納するＲＯＭ２１、上記ＣＰＵ２０のワークエリアとして機能するＲＡＭ２２を有して構成され、さらに、この制御部１０は、クロック回路を内蔵し日時をカウントする日時カウント部２３を有している。
【００２１】
ＧＰＳユニット１１は、ＧＰＳアンテナ１１Ａを介してＧＰＳ衛星からのＧＰＳ電波を受信し、ＧＰＳ電波に重畳されたＧＰＳ信号から、車両の現在位置の経度及び緯度を示す現在地情報を演算により取得し制御部１０に出力する。
なお、ＧＰＳユニット１１に加えて、例えばジャイロセンサや車速パルスセンサ、加速度センサをカーナビゲーション装置１に設けて自立航法可能に構成しても良い。
【００２２】
表示部１２は、制御部１０の制御の下、上記地図４や、車両の現在位置５、目的地までの経路、各種のランドマーク６といった経路案内のための情報を表示する。なお、ＦＭ多重放送受信機や光／電波ビーコン受信機をカーナビゲーション装置１に設けてＶＩＣＳ情報を受信可能に構成し、このＶＩＣＳ情報を表示部１２に表示するようにしても良い。
【００２３】
操作部１３は、複数の上記操作ボタン３に加え、さらに、上記表示部１２の表示パネル２に重ねて配設されたタッチパネル２４を有し、ユーザが表示パネル２を指などで触れた場合、触れた箇所を示す信号が制御部１０に入力される。制御部１０は、かかる信号が入力されると、表示パネル２に表示されている各種ボタンの位置と対比して、どのボタンがタッチ操作されたかを特定する。また、制御部１０は、タッチ操作された箇所にボタンではなくランドマーク６が表示されている場合、タッチ操作によって当該ランドマーク６が選択されたとものと解釈する。
【００２４】
無線通信部１７は、例えばインターネット等のネットワーク１５に接続され、旬情報（適時的情報）を蓄積した外部サーバ１６とデータ通信して、当該外部サーバ１６から旬情報を取得し制御部１０に出力する。この旬情報については、後に詳述する。
【００２５】
記憶部１４は、比較的大きなデータ格納領域を有する記録媒体を有するハードディスクドライブ装置、或いは、ＣＤ／ＤＶＤドライブ装置を有して構成されている。この記憶部１４には、経路案内のための制御プログラムのほか、上記地図４やランドマーク６とった経路案内に供される各種データを格納した経路案内データベース３０を有している。この経路案内データベース３０には、上記ランドマーク６が示す施設の経度、緯度を示す位置情報も含まれている。
また、記憶部１４には、上記経路案内データベース３０に加え、観光施設データベース３１、観光エリアデータベース３２、及び、旬情報データベース３３を備えている。
【００２６】
観光施設データベース３１は、主として観光や行楽、見物を主目的として人が訪れる施設や場所（以下、これらを「観光施設」と言う）をデータベース化して記憶するものである。この観光施設の例としては、例えば、歴史的建造物、著名建造物、美術館、遊園地や動物園等の娯楽施設、景観スポット、観光地が該当し、さらに、これらの施設や景観スポットの周辺、或いは、観光地に存在するレストランが観光施設に含まれている。なお、観光施設の中に、ランドマーク６の施設と重複するものであっても良い事は勿論である。
【００２７】
図２は、観光施設データベース３１の構成を模式的に示す図である。
この図に示すように、観光施設データベース３１の一件のレコードには、施設フィールド４０と、位置フィールド４１と、アイコンフィールド４２と、所属観光エリアフィールド４３と、施設種別フィールド４４と、表示時期フィールド４５と、画像フィールド４６と、詳細情報フィールド４７とが含まれている。
【００２８】
施設フィールド４０は、観光施設を一意に特定するための名称や通称、或いは識別記号を格納する。
位置フィールド４１は、観光施設の位置を緯度・経度によって示す位置データを格納する。
アイコンフィールド４２は、観光施設を抽象化した図形や記号、絵柄で示すアイコンデータを格納し、或いは、記憶部１４におけるアイコンデータの格納場所を示すリンク情報を格納する。このアイコンデータは、地図４に観光施設を表示する際に用いられる。
なお、このアイコンデータは、上記ランドマーク６のデータと実質的に同じものであるが、観光施設を示す図形や記号、絵柄を、上記ランドマーク６と区別するために、「アイコン」と称することにする。また、観光施設と、ランドマーク６の施設が同じ場合には、この施設に対しては、ランドマーク６のデータがアイコンデータとして用いられる。
【００２９】
所属観光エリアフィールド４３は、観光施設が所属する観光エリアを格納するものである。この観光エリアは、上記観光施設を少なくとも１つ以上包含するエリアとして規定される。
具体的には、本実施形態では、上記観光施設の位置を中心とした所定の半径のエリアを上記観光エリアとして設定する。この所定の半径は、例えば上記観光施設の周辺（観光施設から所定距離以内）に存在するレストラン等の食事や休憩に適した飲食店の分布状況に合わせて設定され、周辺に飲食店が存在しない場合には、規定の最小半径が設定され、また、複数の飲食店が存在する場合には、それらのうちの少なくとも１つ以上を含むように半径が設定される。
【００３０】
このようにして設定した観光エリアに、他の観光施設が更に含まれる場合には、この観光施設を中心とした所定の半径の観光エリアと、先の観光エリアとの両方を合わせた１つの観光エリアとして設定し、また、複数の観光施設が密集するような場合でも、それぞれの観光エリアを合わせて１つの大きな観光エリアとして設定する。
なお、観光施設が、観光地などの比較的大きなエリアである場合には、そのエリアを含む市町村等の行政区画に準じて観光エリアを設定しても良い。この場合には、この行政区間の境界によって観光エリアが規定される。
【００３１】
以上のような観光エリアの情報は、観光エリアデータベース３２に格納されている。
図４は、上記観光エリアデータベース３２の構成を模式的に示す図である。
この図に示すように、観光エリアデータベース３２には、観光エリアごとにレコードが登録され、各レコードには、観光エリア名フィールド５０と、中心位置フィールド５１と、半径フィールド５２と、境界フィールド５３とが含まれている。
観光エリア名フィールド５０は、各観光エリアを識別する名称（例えば図３におけるエリアＡ、エリアＢ、・・・）、或いは、識別番号を格納する。
中心位置フィールド５１は、観光エリアの中心位置を緯度・経度によって示す中心位置データを格納する。
半径フィールド５２は、上記のようにして設定した観光エリアの半径を格納する。
境界フィールド５３は、行政区間を以って観光エリアを指定した場合に、当該行政区間の境界を示す経度・緯度を格納する。
【００３２】
再び前掲図３に戻り、施設種別フィールド４４は、観光施設が属するジャンル（カテゴリー）を格納する。本実施形態では、美術館、動物園、景観スポットと言った遊覧や観覧に適した観光施設を「見る」のカテゴリーに、遊園地や牧場、ゴルフ場等のアミューズメント施設やスポーツ施設を「遊ぶ」のカテゴリーに、また、レストラン等の食事や休憩に適した飲食店等の施設を「食べる」のカテゴリーにそれぞれ分類している。そして、観光施設に対応するジャンル（カテゴリー）が施設種別フィールド４４に格納される。
【００３３】
表示時期フィールド４５は、観光施設を地図４に表示する時期を指定するものである。この表示時期フィールド４５は、観光施設を訪れるのに適した季節や時期を以って指定される。例えば、スキー場であれば冬季、プールであれば夏季が設定され、また、軽井沢等の避暑地や海の家であれば夏季、ゴルフ場や美術館、レストランであれば年間を通して表示する事を示す「年間」が設定される。さらに、桜で有名な公園であれば桜が満開となる時期が設定される。なお、この季節や時期は、観光施設の利用可能な時期や営業期間を以って設定しても良い。
観光施設を訪れるのに適した季節や時期を表示時期フィールド４５に設定しておくことで、現在の季節や時期に適した観光施設だけを抽出して地図４に表示可能となり、また、不要と推定される観光施設の表示を減らすることができる。
【００３４】
画像フィールド４６は、その観光施設を紹介する写真等の画像を格納する。例えば観光施設が建物である場合には建物の外観写真が格納され、景観スポットである場合には風景写真が可能され、また、レストランである場合には外観写真や料理の写真が格納される。なお、写真以外でも、シンボルマーク等の画像であっても良い。
詳細情報フィールド４７は、観光施設の名称や住所、連絡先といった観光施設の内容が推定可能な情報（施設情報）や、その観光施設の連絡先等を示す情報を格納する。なお、入場料等の施設利用に要する料金が既定の場合には、その料金を詳細情報に格納しても良い。
【００３５】
旬情報データベース３３は、上記観光施設ごとの旬情報を管理するものであり、図５に示すように、１件のレコードには、施設フィールド６０と、旬情報フィールド６１とが含まれている。
施設フィールド６０は、観光施設データベース３１の施設フィールド４０と同一のものである。すなわち、施設フィールド６０は、観光施設を一意に特定するための名称や通称、或いは識別記号を格納し、この施設フィールド６０により、旬情報データベース３３のレコードと観光施設データベース３１のレコードとが紐付けられる。
旬情報フィールド６１は、観光施設の旬情報を格納するものである。
【００３６】
旬情報は、観光施設に関する情報のうち、特に、当日又は当日を含むその時期における適時的な情報である。例えば、観光施設の営業開始日であったり、その観光施設で催されるイベント情報、見所情報、レストランにあってはお勧めメニュー情報等が旬情報に該当する。
このような旬情報は、各観光施設に従事する者などが作成しコンテンツ配信業者に提供することで、このコンテンツ配信業者が管理する上記外部サーバ１６に一括して蓄積・管理され、ネットワーク１５を介してカーナビゲーション装置１に送信される。
【００３７】
ここで、外部サーバ１６がカーナビゲーション装置１に対して旬情報をプッシュ配信する構成ではなく、カーナビゲーション装置１からの情報配信要求に応答して旬情報をプル配信する構成が用いられている。これにより、不要な旬情報がカーナビゲーション装置１に対して送信されるのを防止し、また、トラフィックの低減や、通信時間の短縮が図られている。
【００３８】
次いで、上記のように構成されたカーナビゲーション装置１の動作を図６のフローチャートを参照して説明する。なお、同図に示す処理は、現在の周辺表示中や経路案内中といったように地図４が表示パネル２に表示されているときに行われる処理である。
カーナビゲーション装置１の制御部１０は、図６に示すように、ＧＰＳユニット１１から取得した車両の現在地情報と、観光エリアデータベース３２にて登録されている各観光エリアとを比較して、観光エリア内に車両が進入したか否かを判断し（ステップＳ１）、観光エリア外であれば（ステップＳ１：ＮＯ）、一定期間後に、再度ステップＳ１の処理を行うことで、観光エリア内への車両の進入を間欠的に検出する。
【００３９】
一方、観光エリア内に車両が進入した場合（ステップＳ１：ＹＥＳ）、ユーザに対して観光エリア内に進入した事の通知、及び、当該観光エリア内に存在する観光施設の提示を行うために、制御部１０は次のステップＳ２の処理を行う。
すなわち、ステップＳ２においては、制御部１０は、図８に示すように、表示パネル２の全面に表示している地図４において、車両の周辺に存在する施設を示すランドマーク６を消去すると共に、当該観光エリア内に存在し、なおかつ、表示時期が現在の日時を含む観光施設を観光施設データベース３１から抽出して、それらのアイコン４２Ａを、観光施設の位置に対応する箇所に地図４に重ねて表示し、さらに、一部に、旬情報ボタン（指示ボタン）７０を表示する（ステップＳ２）。
【００４０】
このように、観光エリア内に車両が進入したときに、観光施設を地図４に自動で表示することで、ユーザに対して、車両が観光エリアに進入した事、及び、周囲に存在する観光施設のうち、現在の季節や時期に訪れるのに最適な観光施設だけが画面表示により提示される。
このとき、地図４に通常表示しているランドマーク６を消去した上で観光施設のアイコン４２Ａを表示しているため、限られた表示領域においても、アイコン４２Ａを十分に視認可能な大きさで表示可能となり、さらに、他の地図４の既存の表示に対して識別性を高めることが可能となる。
なお、車両が観光エリアに進入した際に、上記の画面表示に加え、音を発したりランプを点灯させる等してユーザに通知するようにしても良く、また、観光施設のアイコン４２Ａの近くに観光施設の名称（或いは略称）を表示して、何の観光施設かをユーザにより認識し易くしても良い。
【００４１】
次いで、制御部１０は、ステップＳ１と同様にして、車両が観光エリアから出たか否かを判断し（ステップＳ３）、まだ観光エリア内に位置する場合には（ステップＳ３：ＮＯ）、旬情報ボタン７０がタッチ操作されたか否かを判断する（ステップＳ４）。
旬情報ボタン７０がタッチ操作された場合には（ステップＳ４：ＹＥＳ）、制御部１０は、地図４に表示されている各観光施設の適時的な情報を旬情報としてユーザに提示すべく、後述する旬情報表示処理を行った後（ステップＳ５）、処理を終了する。
また、旬情報ボタン７０がタッチ操作されていない場合には（ステップＳ４：ＮＯ）、再度、ステップＳ３に処理手順を戻す。
そして、車両が観光エリアから出た場合（ステップＳ３：ＹＥＳ）、観光エリア内の観光施設を表示する必要が無いため、表示パネル２の画面表示を、周辺表示、或いは、経路案内を行う表示画面に速やかに戻して、処理を終了する。
【００４２】
さて、上記旬情報表示処理においては、図７に示すように、制御部１０は、車両が現在位置する観光エリアの識別情報（例えば名称）を、旬情報の配信要求と共にネットワーク１５を介して外部サーバ１６に送信し、その配信要求の応答として、当該観光エリア内の観光施設の旬情報を外部サーバ１６から取得し、旬情報データベース３３に格納する（ステップＳ１０）。このように、旬情報の表示がユーザに指示されたときにだけ、外部サーバ１６と通信して旬情報を取得する構成とすることで、外部サーバ１６との無用な通信を減らすことができる。
【００４３】
次いで、制御部１０は、表示パネル２に、図９に示す旬情報表示画面７５を全画面表示する（ステップＳ１１）。この旬情報表示画面７５は、上側の観光施設表示領域７６と、下側の観光施設選択領域７７との２つの領域に上下に分割されている。
観光施設表示領域７６には、現在の観光エリア内に位置する観光施設であって、施設種別が「見る」、「遊ぶ」、「食べる」のうちのいずれかの施設種別に属する観光施設だけが一覧表示されている。この一覧表示には、観光施設の欄ごとに、観光施設の画像４６Ａと、詳細情報４７Ａ、さらには、その観光施設の旬情報６１Ａが表示される。このとき、旬情報６１Ａが外部サーバ１６から得られていない観光施設においては詳細情報４７Ａのみが表示される。さらに、観光施設を一覧表示する際には、現在の日時と、上記表示時期フィールド４５の値とを比較して、現在の季節や時期に適切なものだけを表示する。
このようにして一覧表示されている、いずれかの観光施設の欄をタッチ操作すると、その欄に表示されている観光施設が経由地、或いは、目的地に設定される。
一方、観光施設選択領域７７には、「見る」選択ボタン７８Ａ、「遊ぶ」選択ボタン７８Ｂ、及び、「食べる」選択ボタン７８Ｃが表示されており、いずれかの選択ボタン７８Ａ〜７８Ｃがタッチ操作されると、その操作に連動して、観光施設表示領域７６に表示する観光施設の施設種別が切り替えられる。
このとき、選択ボタン７８Ａ〜７８Ｃのそれぞれは、対応する施設種別に属する観光施設の画像４６Ａをリング状に並べて３Ｄ表示した、いわゆる「ファンリング（ＦＵＮＲＩＮＧ）」により構成されており、これらの選択ボタン７８Ａ〜７８Ｃを構成する画像４６Ａによって、各施設種別に属する観光施設の数や、その観光施設の内容を大まかに把握することが可能になる。
【００４４】
さて、前掲図７に戻り、制御部１０は、ステップＳ１１において上記の旬情報表示画面７５を表示した後、観光施設表示領域７６のいずれかの観光施設がタッチ操作されて経由地或いは目的地に設定されたか否かを判断し（ステップＳ１２）、設定されている場合には（ステップＳ１２：ＹＥＳ）、表示パネル２の画面表示を経路案内画面として、観光施設までの経路案内を開始し（ステップＳ１３）、処理を終了する。
【００４５】
一方、ステップＳ１２において、観光施設が経由地或いは目的地に設定されていない場合には（ステップＳ１２：ＮＯ）、制御部１０は、車両が観光エリアから出るまでの間（ステップＳ１４：ＮＯ）、上記ステップＳ１２に処理を繰り返し実行する。
そして、車両が観光エリアから出たときに（ステップＳ１４：ＹＥＳ）、表示パネル２の画面表示を、周辺表示、或いは、経路案内を行う表示画面に速やかに戻して（ステップＳ１５）、処理を終了する。
なお、旬情報表示画面７５を表示してから一定時間が経過したときに、自動で表示画面を、旬情報ボタン７０がタッチ操作される前のステップＳ２の画面（図７参照）に戻すようにしても良い。
【００４６】
以上説明したように、本実施形態によれば、車両が観光エリアに進入したときには、観光施設の旬情報の表示を指示するための旬情報ボタン７０が地図画面に自動で表示される構成としたため、旬情報ボタン７０の表示により、車両が観光エリア内を移動している事をユーザに対して認識させることができる。また、これにより、周囲に観光施設が存在することをユーザに通知することができる。
特に、目的地を定めないでドライブをしているユーザに対して、立ち寄りの候補となり得る観光施設が周囲に存在していることを通知することができる。
これに加え、旬情報ボタン７０をタッチ操作したときにだけ、観光施設の旬情報を表示するようにしたため、地図画面の視認性を低下することが無く、ユーザが観光施設の旬情報を所望したときにだけ提示することが可能となる。
【００４７】
また本実施形態によれば、旬情報ボタン７０のタッチ操作に伴って、観光施設ごとに詳細情報及び旬情報を旬情報表示画面７５に表示するため、これらの情報を参酌して、周囲に存在する観光施設の中から興味のあるものを的確に容易に見つけだすことができる。
さらに、旬情報表示画面７５において、いずれかの観光施設がタッチ操作された場合に、このタッチ操作された観光施設を目的地又は経由地に設定し、この目的地又は経由地までの経路案内を開始するため、ユーザは、立ち寄りたい観光施設が見つかった場合には、その観光施設をタッチ操作するだけで、その観光施設まで速やかに案内される。
【００４８】
さらに本実施形態によれば、旬情報表示画面７５においては、観光施設を施設種別ごとに分類して表示し、表示する施設種別を選択可能にしたため、ユーザが所望する施設種別の観光施設だけを的確に提示することができる。
さらに、施設種別を選択する選択ボタン７８Ａ〜７８Ｃを、いわゆる「ファンリング」として表示し、各施設種別に属する観光施設の数を視認可能に表示したため、周囲にどういった種別の観光施設が多く存在するかを的確にユーザに提示することができる。
なお、各選択ボタン７８Ａ〜７８Ｃに、各施設種別に属する観光施設の数を示す数字を合わせて表示しても良いことは勿論である。
【００４９】
また本実施形態によれば、車両が所定の観光エリアに進入した場合、地図４には、観光施設のみが表示されるため、周囲にどのような観光施設があるかを、容易に認識することができる。
また、このような観光施設の表示は、車両が観光エリア内に位置する間だけ行われ、車両が観光エリアの外に位置する場合には、ランドマーク６を表示する元の地図表示に自動で復帰するため、車両が観光エリアを移動しているときにだけ的確に観光施設の情報を提示することができる。
【００５０】
また本実施形態によれば、地図４に表示される観光施設が少なくとも現在利用可能なもの、さらには、現在の季節や時期に訪れるのにお勧めな（最適な）ものに限定されるため、その時期や季節に見合った観光施設だけを的確にユーザに提示することができる。
【００５１】
また本実施形態によれば、旬情報を外部サーバ１６から取得する構成としたため、旬情報として時事刻々と変化する情報をユーザに提示することができる。
さらに、観光エリアに車両が進入したタイミングではなく、ユーザによって旬情報の表示が指示されたタイミングで、当該旬情報を外部サーバ１６から取得する構成としたため、外部サーバ１６との間での不要な通信が抑制される。
【００５２】
なお、上述した実施の形態は、あくまでも本発明の一態様を示すものであり、本発明の範囲内で任意に変形および応用が可能であることは勿論である。
【図面の簡単な説明】
【００５３】
【図１】本発明の実施形態に係るカーナビゲーション装置の正面図である。
【図２】カーナビゲーション装置の機能的を示すブロック図である。
【図３】観光施設データベースの構成を模式的に示す図である。
【図４】観光エリアデータベースの構成を模式的に示す図である。
【図５】旬情報データベースの構成を模式的に示す図である。
【図６】カーナビゲーション装置の動作を示すフローチャートである。
【図７】旬情報表示処理を示すフローチャートである。
【図８】観光エリア内での画面表示の一例を示す図である。
【図９】旬情報表示画面の一例を示す図である。
【符号の説明】
【００５４】
１  カーナビゲーション装置
２  表示パネル
５  現在位置
６    ランドマーク
１０  制御部
１１  ＧＰＳユニット
１２  表示部
１４  記憶部
１５  ネットワーク
１６  外部サーバ
１７  無線通信部
２３  日時カウント部
２４  タッチパネル
３１  観光施設データベース
３２  観光エリアデータベース
３３  旬情報データベース
６１Ａ  旬情報
７０  旬情報ボタン
７５  旬情報表示画面
７８Ａ〜７８Ｃ  選択ボタン
【図１】
2009025223.tif 000003
【図２】
2009025223.tif 000004
【図３】
2009025223.tif 000005
【図４】
2009025223.tif 000006
【図５】
2009025223.tif 000007
【図６】
2009025223.tif 000008
【図７】
2009025223.tif 000009
【図８】
2009025223.tif 000010
【図９】
2009025223.tif 000011